(57)【要約】      （修正有）【課題】保持できる植物の数をより増大させると共に、所定のスペースを有効に活用することができる植物保持部材を提供する。【解決手段】茎を有する植物を保持する植物保持部材であって、茎を挿入可能な少なくとも一つのスリット４０を有する板状の板状部１０と、板状部が土台面３０に対して略直交する姿勢を維持する直交姿勢維持部と、を備え、スリットは、板状部の外縁において開口すると共に、板状部の平面に沿う方向に沿って板状部の内部側に延在する。直交姿勢維持部は、スリットよりも土台面に近位な板状部の底部側において、板状部と交差する方向に板状部から突出して、土台面に載置される土台部２０により構成される。【選択図】図１
0003226272.tif 000002
【実用新案登録請求の範囲】
【請求項１】
茎を有する植物を保持する植物保持部材であって、
前記茎を挿入可能な少なくとも一つのスリットを有する板状の板状部と、
前記板状部が土台面に対して略直交する前記板状部の直交姿勢を維持する直交姿勢維持部と、
を備え、
前記スリットは、前記板状部の外縁において開口すると共に、前記板状部の平面に沿う方向に沿って前記板状部の内部側に延在することを特徴とする、
植物保持部材。
【請求項２】
前記直交姿勢維持部は、
前記スリットよりも前記土台面に近位な前記板状部の底部側において、前記板状部と交差する方向に前記板状部から突出する土台部により構成され、
前記土台部は、前記土台面に設置されることを特徴とする、
請求項１に記載の植物保持部材。
【請求項３】
前記土台部は、
前記板状部の一方の前記平面側において突出する第一土台片と、
前記板状部の他方の前記平面側において突出する第二土台片と、
を有することを特徴とする、
請求項２に記載の植物保持部材。
【請求項４】
前記土台面に対して略直交する方向にさらに直交すると共に、前記板状部の前記平面に沿う方向を前記板状部の幅方向と定義した際、
前記第一土台片及び前記第二土台片は、前記板状部の前記幅方向に交互に並ぶように設けられることを特徴とする、
請求項３に記載の植物保持部材。
【請求項５】
前記板状部の前記幅方向の中央には、前記第一土台片が設けられ、
前記板状部の前記幅方向における前記第一土台片の両脇には、前記第二土台片が設けられることを特徴とする、
請求項４に記載の植物保持部材。
【請求項６】
前記土台面に対して略直交する方向にさらに直交すると共に、前記板状部の前記平面に沿う方向を前記板状部の幅方向と定義した際、
前記直交姿勢維持部は、前記土台面に対して前記板状部を前記直交姿勢にした状態で、前記板状部の前記幅方向の両側で、前記板状部を支持する両側支持部により構成されることを特徴とする、
請求項１に記載の植物保持部材。
【請求項７】
前記両側支持部は、前記両側支持部が前記土台面に設置された際、前記土台面に対して直交する方向に凹むと共に、前記板状部を挿入可能であり、さらに、前記板状部を前記直交姿勢の状態で支持する幅を有する凹部を有することを特徴とする、
請求項６に記載の植物保持部材。
【請求項８】
前記土台面に対して略直交する方向にさらに直交すると共に、前記板状部の前記平面に沿う方向を前記板状部の幅方向と定義し、前記板状部において前記幅方向に直交する方向を前記板状部の長さ方向と定義した場合、
前記直交姿勢維持部は、前記土台面に対して前記板状部を前記直交姿勢にした状態で、前記スリットよりも前記土台面に近位となる、前記板状部の前記長さ方向の底部側で、前記板状部を支持する底部側支持部により構成されることを特徴とする、
請求項１に記載の植物保持部材。
【請求項９】
前記底部側支持部は、前記底部側支持部が前記土台面に設置された際、前記土台面に対して直交する方向に凹むと共に、前記板状部を挿入可能であり、さらに、前記板状部を前記直交姿勢の状態で支持する幅を有する凹部を有することを特徴とする、
請求項８に記載の植物保持部材。
【請求項１０】
前記スリットは、前記土台面に対して略直交する方向に延在することを特徴とする、
請求項１〜９のいずれかに記載の植物保持部材。
【請求項１１】
前記スリットの幅方向（以下、スリット幅方向と呼ぶ。）において対向する前記スリットの構成面を第一スリット構成面及び第二スリット構成面と定義し、前記板状部の板厚方向に沿う平行な方向を前記スリットの深さ方向と定義し、
前記スリット幅方向に沿って前記スリットの深さ方向に切った前記板状部の断面（以下、板状部断面と呼ぶ。）を断面視した時、
前記第一スリット構成面は、前記スリット幅方向の前記第二スリット構成面側に凸となる第一凸面を有し、
前記第二スリット構成面は、前記スリット幅方向の前記第一スリット構成面側に凸となる第二凸面を有し、
前記第一凸面及び前記第二凸面は、それぞれ前記スリットの深さ方向に前記スリットに挿入された前記茎を挟持したとき、前記茎の周面側から前記茎の内部に食い込む食込み領域を有し、
前記食込み領域において前記板状部断面は、前記スリット幅方向に沿って前記第一凸面及び前記第二凸面それぞれの基端側から先端側に進むに従って、前記板状部断面の前記スリットの深さ方向における幅が小さくなる区間を有することを特徴とする、
請求項１〜１０のいずれかに記載の植物保持部材。
【考案の詳細な説明】
【技術分野】
【０００１】
本考案は、茎を有する植物を保持する植物保持部材に関する。
【背景技術】
【０００２】
イチゴは、衝撃を加えられると傷付きやすい。また、傷が付いたイチゴは商品価値が下がる。このため、本願出願人は、イチゴに傷が付かないように、イチゴの茎を挟持してイチゴを保持する植物保持部材を提案している（例えば、特許文献１参照）。上記植物保持部材は、一方側の平面が、植物が載置される植物載置面となる板状の板状部と、当該板状部を載置する載置面を有する土台部と、当該土台部に対して板状部が傾斜する傾斜姿勢を維持する傾斜維持機構と、により構成される。そして、傾斜維持機構は、傾斜姿勢で板状部を土台部に取り付ける取付機構を有する。
【先行技術文献】
【特許文献】
【０００３】
【特許文献１】特許６４１５７７３号公報
【考案の概要】
【考案が解決しようとする課題】
【０００４】
上記植物保持部材では、板状部は傾斜姿勢で保持され、上方側を向く板状部の一方側の平面で植物が保持される。このため、一枚の板状部で保持される植物の数が限られていた。また、板状部が傾斜姿勢となるため、板状部が専有するスペースが大きくなる。このため、一つの箱に複数の板状部を配置する場合、配置可能な板状部の数が限られていた。
【０００５】
本考案は、斯かる実情に鑑み、保持できる植物の数をより増大させると共に、所定のスペースを有効に活用することができる植物保持部材を提供しようとするものである。
【課題を解決するための手段】
【０００６】
本考案は上記課題を解決するためになされたものであり、本考案の植物保持部材は、茎を有する植物を保持する植物保持部材であって、前記茎を挿入可能な少なくとも一つのスリットを有する板状の板状部と、前記板状部が土台面に対して略直交する前記板状部の直交姿勢を維持する直交姿勢維持部と、を備え、前記スリットは、前記板状部の外縁において開口すると共に、前記板状部の平面に沿う方向に沿って前記板状部の内部側に延在することを特徴とする。
【０００７】
また、本考案の植物保持部材において、前記直交姿勢維持部は、前記スリットよりも前記土台面に近位な前記板状部の底部側において、前記板状部と交差する方向に前記板状部から突出する土台部により構成され、前記土台部は、前記土台面に設置されることを特徴とする。
【０００８】
また、本考案の植物保持部材において、前記土台部は、前記板状部の一方の前記平面側において突出する第一土台片と、前記板状部の他方の前記平面側において突出する第二土台片と、を有することを特徴とする。
【０００９】
また、本考案の植物保持部材において、前記土台面に対して略直交する方向にさらに直交すると共に、前記板状部の前記平面に沿う方向を前記板状部の幅方向と定義した際、前記第一土台片及び前記第二土台片は、前記板状部の前記幅方向に交互に並ぶように設けられることを特徴とする。
【００１０】
また、本考案の植物保持部材において、前記板状部の前記幅方向の中央には、前記第一土台片が設けられ、前記板状部の前記幅方向における前記第一土台片の両脇には、前記第二土台片が設けられることを特徴とする。
【００１１】
また、本考案の植物保持部材において、前記土台面に対して略直交する方向にさらに直交すると共に、前記板状部の前記平面に沿う方向を前記板状部の幅方向と定義した際、前記直交姿勢維持部は、前記土台面に対して前記板状部を前記直交姿勢にした状態で、前記板状部の幅方向の両側で、前記板状部を支持する両側支持部により構成されることを特徴とする。
【００１２】
また、本考案の植物保持部材において、前記両側支持部が前記土台面に設置された際、前記土台面に対して直交する方向に凹むと共に、前記板状部を挿入可能であり、さらに、前記板状部を前記直交姿勢の状態で支持する幅を有する凹部を有することを特徴とする。
【００１３】
また、本考案の植物保持部材において、前記土台面に対して略直交する方向にさらに直交すると共に、前記板状部の前記平面に沿う方向を前記板状部の幅方向と定義し、前記板状部において前記幅方向に直交する方向を前記板状部の長さ方向と定義した場合、
【００１４】
前記直交姿勢維持部は、前記土台面に対して前記板状部を前記直交姿勢にした状態で、前記スリットよりも前記土台面に近位となる、前記板状部の前記長さ方向の底部側で、前記板状部を支持する底部側支持部により構成されることを特徴とする。
【００１５】
また、本考案の植物保持部材において、前記底部側支持部は、前記底部側支持部が前記土台面に設置された際、前記土台面に対して直交する方向に凹むと共に、前記板状部を挿入可能であり、さらに、前記板状部を前記直交姿勢の状態で支持する幅を有する凹部を有することを特徴とする。
【００１６】
また、本考案の植物保持部材において、前記スリットは、前記土台面に対して略直交する方向に延在することを特徴とする。
【００１７】
また、本考案の植物保持部材において、前記スリットの幅方向（以下、スリット幅方向と呼ぶ。）において対向する前記スリットの構成面を第一スリット構成面及び第二スリット構成面と定義し、前記板状部の板厚方向に沿う平行な方向を前記スリットの深さ方向と定義し、前記スリット幅方向に沿って前記スリットの深さ方向に切った前記板状部の断面（以下、板状部断面と呼ぶ。）を断面視した時、第一スリット構成面は、前記スリット幅方向の前記第二スリット構成面側に凸となる第一凸面を有し、前記第二スリット構成面は、前記スリット幅方向の前記第一スリット構成面側に凸となる第二凸面を有し、前記第一凸面及び前記第二凸面は、それぞれ前記スリットの深さ方向に前記スリットに挿入された前記茎を挟持したとき、前記茎の周面側から前記茎の内部に食い込む食込み領域を有し、前記食込み領域において前記板状部断面は、前記スリット幅方向に沿って前記第一凸面及び前記第二凸面それぞれの基端側から先端側に進むに従って、前記板状部断面の前記スリットの深さ方向における幅が小さくなる区間を有することを特徴とする。
【考案の効果】
【００１８】
本考案の植物保持部材によれば、保持できる植物の数をより増大させると共に、所定のスペースにおいてデッドスペースを低減させることができるという優れた効果を奏し得る。
【図面の簡単な説明】
【００１９】
【図１】（Ａ）は、複数のイチゴを保持した、本考案の第一実施形態における植物保持部材の斜視図である。（Ｂ）は、（Ａ）のＧ―Ｇ矢視断面図である。
【図２】本考案の第一実施形態における植物保持部材における板状部の正面図である。
【図３】（Ａ）は、本考案の第一実施形態における植物保持部材における板状部の一つのスリットの正面拡大図である。（Ｂ）は、（Ａ）のＨ―Ｈ矢視断面図である。
【図４】本考案の第一実施形態における植物保持部材における第一スリット構成面及び第二スリット構成面でイチゴの茎が挟持される様子を示す図である。
【図５】（Ａ）〜（Ｃ）は、本考案の第一実施形態における植物保持部材にイチゴを保持させる様子を時系列に並べた図である。
【図６】（Ａ）は、複数のイチゴを保持した、本考案の第一実施形態における複数の植物保持部材を箱に収容した様子を示す斜視図である。（Ｂ）は、複数のイチゴを保持した、本考案の第一実施形態における複数の植物保持部材を箱に収容した様子を示す平面図である。
【図７】（Ａ）は、本考案の第二実施形態における植物保持部材の斜視図である。（Ｂ）は、本考案の第二実施形態における植物保持部材の平面図である。
【図８】（Ａ），（Ｂ）は、本考案の第二実施形態における植物保持部材の土台部の変形（姿勢変化）を時系列に並べた図である。
【図９】（Ａ）は、本考案の第三実施形態における植物保持部材の斜視図である。（Ｂ）は、（Ａ）のＩ―Ｉ矢視断面図である。
【図１０】本考案の第四実施形態における植物保持部材の斜視図である。
【図１１】（Ａ）は、本考案の第五実施形態における植物保持部材の斜視図である。（Ｂ）は、複数のイチゴを保持した、本考案の第五実施形態における植物保持部材の平面図である。
【図１２】（Ａ）は、本考案の第六実施形態における植物保持部材の斜視図である。（Ｂ）は、複数のイチゴを保持した、本考案の第六実施形態における植物保持部材の平面図である。
【考案を実施するための形態】
【００２０】
以下、本考案の実施の形態を添付図面を参照して説明する。
【００２１】
＜第一実施形態＞
図１〜図３を参照して、本考案の第一実施形態における植物保持部材１について説明する。本考案の実施の形態における植物保持部材１は、図１（Ａ）に示すように、茎を有する茎付き植物を保持するものである。茎を有する植物として、例えば、イチゴが挙げられるが、これに限定されるものではなく、その他の植物であってもよい。なお、以下において茎を有する植物がイチゴであるものとして本実施形態を説明するが、イチゴ以外にも適用可能である。植物保持部材１は、図１（Ａ）に示すように、例えば、板状部１０と、直交姿勢維持部２と、を備える。
【００２２】
＜板状部＞
板状部１０は、図１（Ａ），（Ｂ）に示すように、板状に形成される。板状部１０は、例えば、長方形に形成されることが想定されるが、これに限定されるものではなく、正方形やその他の多角形、円形、それらが混合された形状のいずれであってもよい。
【００２３】
また、板状部１０は、図１（Ｂ）に示すように、板状部１０で保持された状態のイチゴ１００に接触する植物接触面１１を有する。植物接触面１１は、板状部１０の両側の平面１０Ｂ，１０Ｃにより構成される。板状部１０の材料として、例えば、ポリエチレンテレフタラート、ポリプロピレン、ポリスチレン、発泡スチロール等の樹脂が一例として挙げられるが、これに限定されるものではなく、その他の材料であってもよい。
【００２４】
板状部１０は、イチゴ１００が植物保持部材１で載置されたときに、その重みで曲がらないように、ある程度の板厚を有することが好ましい。板状部１０の板厚として、例えば、０．７ｍｍ以上が好ましく、１ｍｍ以上がさらに好ましい。
【００２５】
＜スリット＞
板状部１０は、図１（Ａ）及び図２に示すように、複数のスリット４０を有する。本実施形態においてスリット４０は、図２に示すように、板状部１０の長さ方向（以下、板側長さ方向と呼ぶ。）Ｙにおける板状部１０の一方側の外縁１０Ａにおいて開口すると共に、板状部１０の平面１０Ｂ又は平面１０Ｃに沿う所定の平面方向（以下、スリット延在方向と呼ぶ。）Ａに沿って、板状部１０の内部側に延在する。換言すると、スリット４０は、板状部１０の外縁１０Ａにおける開口４３を起点として、スリット延在方向Ａに沿って板状部１０の内部の途中まで延在する。
【００２６】
また、複数のスリット４０は、等間隔に並列に設けられることが想定されるが、これに限定されるものではなく、不等間隔に並列に設けられるものであってもよい。なお、本実施形態において複数のスリット４０の配列方向（以下、スリット配列方向と呼ぶ。）は、スリットの幅方向（以下、スリット幅方向と呼ぶ。）Ｂと一致する。
【００２７】
以上のようにスリット４０が設けられると、隣り合うスリット４０の間には、帯状部１３が形成される。帯状部１３は、図２に示すように、基端１６を起点としてスリット延在方向Ａに沿って延在する。なお、基端１６とは、スリット幅方向Ｂ（スリット配列方向）においてスリット４０の最奥面４４に隣接する部分に相当する。また、帯状部１３とスリット４０とは、スリット幅方向Ｂ（スリット配列方向）に沿って交互に並列に並ぶ。結果、本実施形態において板状部１０は、図１（Ａ）及び図２に示すように、櫛形状となる。
【００２８】
なお、本実施形態においてスリット延在方向Ａは、図１（Ａ）及び図２に示すように、板側長さ方向Ｙに平行な方向となっているが、これに限定するものではなく、板側長さ方向Ｙに対して傾斜する方向であってもよい。また、スリット幅方向Ｂ（スリット配列方向）は、図１（Ａ）及び図２に示すように、本実施形態では板状部１０の幅方向（以下、板側幅方向と呼ぶ。）Ｘに平行な方向となっているが、これに限定するものではなく、板側幅方向Ｘに対して傾斜する方向であってもよい。また、スリット延在方向Ａは、直線方向に限定されるものではなく、曲線方向（例えば、波線方向、螺旋方向）であってもよい。
【００２９】
スリット４０は、図２に示すように、第一スリット構成面４１と、第二スリット構成面４２と、及びスリット４０のスリット延在方向Ａにおける最奥面４４と、により構成される。図２において第一スリット構成面４１及び第二スリット構成面４２は、スリット幅方向Ｂにおいて対向する。本実施形態において第一スリット構成面４１及び第二スリット構成面４２は、スリット幅方向Ｂにおいてスリット４０の両隣に位置する２つの帯状部１３の面のうち、スリット幅方向Ｂにおいて対向する面に相当する。
【００３０】
スリット４０の最小スリット幅ｄ（第一スリット構成面４１と第二スリット構成面４２のスリット幅方向Ｂにおける最小距離）は、イチゴ１００の茎１０１の直径Ｒ又は幅Ｗよりも小さくすることが好ましい。後述するように、第一スリット構成面４１と第二スリット構成面４２で茎１０１の径方向から茎１０１を挟持するためである。茎１０１の直径Ｒ又は幅Ｗが略２ｍｍと仮定した場合、最小スリット幅ｄは、例えば、０．６ｍｍ≦ｄ≦１．８ｍｍであることが好ましく、０．７ｍｍ≦ｄ≦１．２ｍｍであることがより好ましく、０．７ｍｍ≦ｄ≦０．９ｍｍであることがさらに好ましい。
【００３１】
なお、スリット４０のスリット幅は、スリット４０が延在する全区間で同一（等幅）であることが好ましい。ただし、本考案では、これに限定されるものではなく、例えば、スリット４０のスリット幅は、スリット４０の最奥面４４側から開口４３側に進むにしたがって大きくなるもの、又は小さくなるもののいずれであってもよい。例えば、スリット幅が大きくなる場合、第一スリット構成面４１及び第二スリット構成面４２は、図２に示す第一スリット構成面４１Ａ及び第二スリット構成面４２Ａのように、スリット延在方向Ａに沿ってスリット４０の最奥面４４側から開口４３側に進むにしたがってスリット幅が大きくなるよう、最奥面４４から開口４３にわたって全体がテーパ形状に形成される。
【００３２】
また、後述の＜イチゴを板状部に設置する手順＞で説明するが、帯状部１３は、帯状部１３の基端１６を支点としてスリット幅方向Ｂ（板側幅方向Ｘ）に傾動可能に構成されることが好ましい。スリット幅方向Ｂ（板側幅方向Ｘ）に傾動した帯状部１３は、弾性変形して元の位置に復帰する。このため、スリット幅方向Ｂにおける帯状部１３の幅Ｋは、以上のことが実現可能な大きさとなる。
【００３３】
また、第一スリット構成面４１及び／又は第二スリット構成面４２は、平滑化されていてもよいが、粗面化されていることがより好ましい。第一スリット構成面４１及び第二スリット構成面４２によりイチゴ１００の茎１０１が挟持されとき、イチゴ１００の茎１０１が滑らないように確実に挟持できるからである。粗面化されると、第一スリット構成面４１及び／又は第二スリット構成面４２には、微細な凹凸が形成される。なお、第一スリット構成面４１及び／又は第二スリット構成面４２は、平滑化された部分と粗面化された部分の双方が混在していてもよい。
【００３４】
＜第一スリット構成面及び第二スリット構成面＞
図３を参照して第一スリット構成面４１及び第二スリット構成面４２について説明する。第一スリット構成面４１は、図３（Ａ）に示すように、第一凸面４１０を有する。第一凸面４１０は、図３（Ｂ）に示すように、スリット幅方向Ｂの第一スリット構成面４１から第二スリット構成面４２に向かう側に凸となる。さらに言うと、スリット幅方向Ｂに沿ってスリットの深さ方向（以下、スリット深さ方向と呼ぶ。）Ｃに切った板状部１０の断面（以下、板状部断面と呼ぶ。）を断面視したとき、第一凸面４１０は、スリット幅方向Ｂの第一スリット構成面４１から第二スリット構成面４２に向かう側に凸となる。なお、本実施形態においてスリット深さ方向Ｃは、板状部１０の厚み方向に一致する。
【００３５】
また、第一凸面４１０は、図３（Ｂ）に示すように、板状部断面のスリット深さ方向Ｃにおける幅Ｌが、スリット幅方向Ｂに沿って第一凸面４１０の基端４１０Ａ側から先端４１０Ｂ側に進むに従って小さくなるテーパ状に形成されることが好ましい。以上のような第一凸面４１０は、第一傾斜面４１１と、第二傾斜面４１２と、を有する。第一傾斜面４１１と第二傾斜面４１２とは、交差して第二凸面４２０側に凸となる峰部４１３する。峰部４１３の周面により第一凸面４１０が形成される。第一凸面４１０の先端４１０Ｂは、図３（Ｂ）に示すように、尖っていることが好ましい。
【００３６】
第二スリット構成面４２は、図３（Ａ）に示すように、第二凸面４２０を有する。第二凸面４２０は、図３（Ｂ）に示すように、スリット幅方向Ｂの第二スリット構成面４２から第一スリット構成面４１に向かう側に凸となる。さらに言うと、板状部断面を断面視したとき、第二凸面４２０は、図３（Ｂ）に示すように、スリット幅方向Ｂの第二スリット構成面４２から第一スリット構成面４１に向かう側に凸となる。
【００３７】
また、第二凸面４２０は、図３（Ｂ）に示すように、板状部断面のスリット深さ方向Ｃにおける幅Ｌが、スリット幅方向Ｂに沿って第二凸面４２０の基端４２０Ａ側から先端４２０Ｂ側に進むに従って小さくなるテーパ状に形成されることが好ましい。以上のような第二凸面４２０は、第三傾斜面４２１と、第四傾斜面４２２と、を有する。第三傾斜面４２１と第四傾斜面４２２とは、交差して第一凸面４１０側に凸となる峰部４２３される。峰部４２３の周面により第二凸面４２０が形成される。第二凸面４２０の先端は、図３（Ｂ）に示すように、尖っていることが好ましい。
【００３８】
以上のように構成される第一スリット構成面４１及び第二スリット構成面４２により、スリット深さ方向Ｃにスリット４０に挿入されたイチゴ１００の茎１０１が挟持されたとき、図４に示すように、第一凸面４１０及び第二凸面４２０は、それぞれ茎１０１の周面１０１Ａ側から茎１０１の内部に食い込む第一食込み領域４５及び第二食込み領域４６と、茎１０１に当接しない第一茎側非当接領域４７及び第二茎側非当接領域４８とを有する。そして、イチゴ１００は、板状部１０の平面１０Ｂ（植物接触面１１）に接触して平面１０Ｂ（植物接触面１１）で支持される。
【００３９】
第一食込み領域４５及び第二食込み領域４６は、それぞれ、第一スリット構成面４１及び第二スリット構成面４２によりイチゴ１００の茎１０１が上記のように挟持された後において、イチゴ１００の茎１０１が挟持される前における茎１０１の周面１０１Ａを仮想周面１０１Ｂと定義したとき、仮想周面１０１Ｂよりも茎１０１の内部側に位置する第一凸面４１０及び第二凸面４２０の領域を指す。第一食込み領域４５及び第二食込み領域４６は、それぞれ第一凸面４１０及び第二凸面４２０のスリット幅方向Ｂにおける先端を含む領域である。第一食込み領域４５、及び第二食込み領域４６において板状部断面は、スリット幅方向Ｂに沿って第一凸面４１０及び第二凸面４２０それぞれの基端側から先端側に進むにしたがって、スリット深さ方向Ｃにおける幅が小さくなる区間を有する。その区間は、一部区間であってもよいし、全区間であってもよい。本実施形態において第一食込み領域４５、及び第二食込み領域４６では、板状部断面が略三角形状となる。このとき、第一食込み領域４５、及び第二食込み領域４６における板状部断面の先端角が小さければ小さいほど、イチゴ１００の茎１０１に第一凸面４１０及び第二凸面４２０を食い込ませやすくなる。
【００４０】
第一食込み領域４５及び第二食込み領域４６がイチゴ１００の茎１０１に対して食い込み深さＦ１，Ｆ２は、イチゴ１００の茎１０１の直径Ｒ又は幅Ｗに対して、０＜Ｆ１，Ｆ２＜Ｒ／２（Ｗ／２）の範囲となることが好ましく、０＜Ｆ１，Ｆ２＜Ｒ／３（Ｗ／３）の範囲となることがより好ましく、０＜Ｆ１，Ｆ２＜Ｒ／４（Ｗ／４）の範囲となることがさらに好ましい。例えば、イチゴ１００の茎１０１の直径Ｒ又は幅Ｗが２（ｍｍ）である場合、食い込み深さＦ１，Ｆ２は、それぞれ０．５（ｍｍ）以下となることが好ましい。
【００４１】
第一茎側非当接領域４７及び第二茎側非当接領域４８は、それぞれ第一食込み領域４５、及び第二食込み領域４６よりもスリット幅方向Ｂの第一凸面４１０及び第二凸面４２０基端側に位置する。そして、第一茎側非当接領域４７及び第二茎側非当接領域４８は、それぞれ、スリット幅方向Ｂにおいて第一食込み領域４５、及び第二食込み領域４６に連続する。
【００４２】
＜イチゴを板状部に設置する手順＞
次に、図５を参照して、イチゴ１００を板状部１０に設置する手順について説明する。なお、図５では、帯状部１３の傾動をわかりやすくするため、上記傾動の度合いを比較的大きく描いているが、これは一例であり、傾動の度合いが図５と異なっているものも本考案には含まれる。イチゴ１００Ａを板状部１０に設置するとき、図５（Ａ）に示すように、イチゴ１００Ａの茎１０１をスリット４０Ａの入口となる開口４３Ａに向かって移動させる。そして、イチゴ１００Ａの茎１０１を開口４３Ａからスリット４０Ａの内部に挿入するには、開口４３Ａにおけるスリット幅ｊをイチゴ１００Ａの茎１０１の直径Ｒ又は幅Ｗよりも大きくする必要がある。このため、開口４３Ａにおけるスリット幅ｊが広がるように、スリット４０Ａの両隣の帯状部１３Ａ，１３Ｂに対して互いがスリット幅方向Ｂにおいて離反するよう力Ｆを加える。これにより、帯状部１３Ａ，１３Ｂは、帯状部１３Ａ，１３Ｂの基端１６Ｃ，１６Ｄを支点としてスリット幅方向Ｂにおいて互いが離反する側に傾動する。
【００４３】
そして、図５（Ｂ）に示すように、スリット幅ｊが広がった開口４３Ａからスリット４０Ａの内部にイチゴ１００Ａの茎１０１を挿入する。なお、帯状部１３Ａ，１３Ｂは、上記のように傾動されても元の状態に戻ろうとする弾性を有するように構成される。このため、イチゴ１００Ａの茎１０１がスリット４０Ａに挿入されると、第一スリット構成面４１と第二スリット構成面４２で茎１０１の径方向から茎１０１は挟持される。そして、イチゴ１００Ａの茎１０１は、第一スリット構成面４１の第一凸面４１０と、第二スリット構成面４２の第二凸面４２０とにより、茎１０１の径方向の内側に押圧される。第一凸面４１０の先端４１０Ｂ及び第二凸面４２０の先端４２０Ｂ側は、尖っているため、茎１０１に食い込む（図４参照）。
【００４４】
さらに、イチゴ１００Ａの茎１０１をスリット４０Ａの奥側に進めていくと、帯状部１３Ａ，１３Ｂには、茎１０１によりスリット幅方向Ｂにおいて互いが離反する側に力Ｆが加えられる。結果、帯状部１３Ａ，１３Ｂは、スリット幅方向Ｂにおいて互いが離反する側にさらに傾動される。
【００４５】
このとき、イチゴ１００Ａの茎１０１は、図５（Ｃ）に示すように、さらに傾動された帯状部１３Ａ，１３Ｂは、それぞれ自身の隣の帯状部１３Ｅ，１３Ｆに接触する。その帯状部１３Ｅ，１３Ｆには、スリット幅方向Ｂにおいて互いが離反する側に傾動するよう帯状部１３Ａ，１３Ｂにより力を加えられる。一方で、帯状部１３Ａ，１３Ｂは、隣り合う帯状部１３Ｅ，１３Ｆ等から反力を受ける。イチゴ１００Ａの茎１０１をスリット４０Ａの奥側に進めれば進めるほど、帯状部１３Ａ，１３Ｂが隣り合う帯状部１３Ｅ，１３Ｆ等から受ける反力は大きくなる。結果、第一凸面４１０と、第二凸面４２０とは、さらに、茎１０１に深く食い込む。このため、茎１０１は、第一凸面４１０と、第二凸面４２０とにより強固に挟持される。
【００４６】
また、図５（Ｃ）に示すように、別のイチゴ１００Ｂを別のスリット４０Ｂに挿入すると、同様にスリット４０Ｂの周囲の帯状部１３Ｇ，１３Ｈ，１３Ｉ，１３Ｊが傾動する。このとき、スリット４０Ａとスリット４０Ｂの間の帯状部（帯状部１３Ｂ，１３Ｆ，１３Ｈ，１３Ｊ等）は、イチゴ１００Ａの茎１０１からスリット幅方向Ｂのイチゴ１００Ｂに向かう側に力を加えられ、イチゴ１００Ｂの茎１０１からスリット幅方向Ｂのイチゴ１００Ａに向かう側に力を加えられる。結果、スリット４０Ａとスリット４０Ｂの間の帯状部（帯状部１３Ｂ，１３Ｆ，１３Ｈ，１３Ｊ等）は、傾動の度合いが制限される。このとき、イチゴ１００Ａ，１００Ｂの茎には、第一凸面４１０の先端４１０Ｂ側、及び第二凸面４２０の先端４２０Ｂ側（第一食込み領域４５、及び第二食込み領域４６）が深く食い込む。結果、イチゴ１００Ａ，１００Ｂは、第一凸面４１０及び第二凸面４２０により強く挟持される。したがって、複数のスリット４０に複数のイチゴ１００を挿入すると、茎１０１に働く挟持力がより強くなる。以上のように、イチゴ１００Ａ，１００Ｂは、板状部１０で保持される。
【００４７】
＜直交姿勢維持部＞
図１を参照して、直交姿勢維持部２について説明する。直交姿勢維持部２は、図１（Ｂ）に示すように、板状部１０が土台面３０に対して略直交する姿勢（以下、直交姿勢と呼ぶ。）を維持させるものである。本実施形態において直交姿勢維持部２は、板側長さ方向Ｙが土台面３０に対して略直交するような板状部１０の姿勢を維持させる。なお、土台面３０に対する板状部１０の略直交姿勢とは、厳密に、９０度である必要はなく、わずかに傾斜していてもよい。その傾斜角として、±１０度以内が好ましく、±８度以内であればさらに好ましく、±５度以内であればさらに好ましい。
【００４８】
本実施形態において直交姿勢維持部２は、土台部２０により構成される。また、本実施形態において土台部２０は、板状に形成されるが、これに限定されるものではなく、板状以外の態様であってもよい。そして、土台部２０は、図１（Ａ），（Ｂ）に示すように、スリット延在方向Ａにおいてスリット４０から遠位側の板状部１０の外縁を構成する外縁辺１０Ｄに対応する板状部１０の外縁面１０ＤＡと、土台部２０を二分割する中央分割領域２０Ａとが重なると共に、板状部１０に対して直交するように設けられる。そのような土台部２０は、第一土台片２１と、第二土台片２２と、を有する。
【００４９】
第一土台片２１は、図１（Ａ），（Ｂ）に示すように、板状部１０の一方の平面１０Ｂ側において、板状部１０の外縁辺１０Ｄ（外縁面１０ＤＡ）全体を起点として、その平面１０Ｂに直交する方向に突出する。第二土台片２２は、図１（Ａ），（Ｂ）に示すように、板状部１０の他方の平面１０Ｃ側において、板状部１０の外縁辺１０Ｄ（外縁面１０ＤＡ）全体を起点として、その平面１０Ｃに直交する方向に突出する。
【００５０】
以上のように構成される土台部２０は、土台部２０の支持面２０Ｂが土台面３０に接触するように設置される。なお、土台部２０の支持面２０Ｂとは、板状部１０が立設する側とは反対側の土台部２０の平面である。そして、土台部２０を土台面３０に設置すると、板状部１０は、土台面３０に対して直交姿勢を取る。この時、スリット４０は、土台面３０に対して略直交する方向に延在する。つまり、スリット延在方向Ａが土台面３０に対して略直交する方向となる。
【００５１】
以上のように構成される植物保持部材１によれば、図１（Ａ），（Ｂ）に示すように、板状部１０が土台面３０に対して直交姿勢を取るため、板状部１０は、平面１０Ｂ側と平面１０Ｃ側の両面側でイチゴ１００を保持するスペースを確保することができる。そして、板状部１０の両面側で保持されるイチゴ１００は、いずれも第一スリット構成面４１と第二スリット構成面４２で自身の茎１０１が挟持されると共に、植物接触面１１に接触して、板状部１０から吊り下がった状態で保持される。このため、同一の板状部１０では、イチゴ１００は、いずれも植物接触面１１（平面１０Ｂ，１０Ｃ）に接触し、かつイチゴ１００の芯（中心軸）が植物接触面１１（平面１０Ｂ，１０Ｃ）に対して土台面３０に向かって傾斜するような姿勢をとる（図１（Ａ），（Ｂ）参照。）。結果、同一の板状部１０で保持される複数のイチゴ１００は、確実にいずれも同じ姿勢をとることができる。
【００５２】
＜植物保持部材の使用例＞
図６（Ａ），（Ｂ）に示すように、イチゴ１００を保持させた本実施形態における４つの植物保持部材１を箱５０に収容する場合を考える。なお、４つの植物保持部材１は、図６（Ｂ）に示すように、それぞれ板状部１０の平面１０Ｂ，１０Ｃの両側でイチゴ１００を保持した状態にあるものとする。具体的には、板状部１０の平面１０Ｂ側で、３つのイチゴ１００を保持し、板状部１０の平面１０Ｃ側で、２つのイチゴ１００を保持する。そして、３つのイチゴ１００及び２つのイチゴ１００は、それぞれ所定間隔空けて並ぶ。
【００５３】
図６（Ａ）に示すように、土台面３０に相当する箱５０の内側底面５１に土台部２０を載置して、４つの植物保持部材１を箱５０の内部に一列に並べる。このとき、各植物保持部材１は、隣接する植物保持部材１との間において、３つのイチゴ１００を保持する側の平面１０Ｂと、２つのイチゴ１００を保持する側の平面１０Ｃとが対向するように、並べられる。また、箱５０内では、平面１０Ｂ側で保持されるイチゴ１００とイチゴ１００との間の空間Ｋ１に、平面１０Ｃ側で保持されるイチゴ１００が入り込むと共に、平面１０Ｃ側で保持されるイチゴ１００とイチゴ１００との間の空間Ｋ２に、平面１０Ｂ側で保持されるイチゴ１００が入り込むように、各植物保持部材１は配置される。なお、各板状部１０は、内側底面５１に対して直交姿勢となる。
【００５４】
以上のように、植物保持部材１によれば、それぞれ板状部１０の平面１０Ｂ，１０Ｃの両側でイチゴ１００を安定して保持することができる。板状部１０が土台面３０に対して傾斜する傾斜姿勢を取る場合、一方の平面側にしか安定してイチゴ１００を保持させることができない。板状部１０が直交姿勢を取る本実施形態における植物保持部材１は、板状部１０が傾斜姿勢を取る（図示しない）植物保持部材（以下、傾斜側植物保持部材と呼ぶ。）と比較して、多くのイチゴ１００を保持することができる。また、例えば、板状部１０の互いの平面同士が対向するように複数の植物保持部材１を箱５０に並べる場合、本実施形態における植物保持部材１は、板状部１０が土台面３０に対して直交姿勢を取るため、傾斜側植物保持部材と比較して、より多く箱５０に収容することができる。
【００５５】
さらに、本実施形態における植物保持部材１では、隣接する植物保持部材１の間の空間には、一方側の板状部１０で保持されるイチゴ１００と、他方側の板状部１０で保持されるイチゴ１００の双方を配置可能である。傾斜側植物保持部材では、そもそも一方の平面側にしか安定してイチゴ１００を保持させることができないため、隣接する傾斜側植物保持部材の間の空間において、隣接する傾斜側植物保持部材の一方で保持されるイチゴ１００しか配置させることができない。つまり、傾斜側植物保持部材では、隣接する傾斜側植物保持部材の間の空間を有効に活用することができておらず、デッドスペースが多くできてしまう。本実施形態における植物保持部材１は、この点を解消して、隣接する植物保持部材１の間の空間を有効に活用しており、デッドスペースが低減されている。
【００５６】
＜第二実施形態＞
図７及び図８を参照して、本考案の第二実施形態における植物保持部材１について説明する。本考案の第二実施形態における植物保持部材１は、本考案の第一実施形態における植物保持部材１と同様に、板状部１０と、直交姿勢維持部２と、を備える。本実施形態において板状部１０は、本考案の第一実施形態における植物保持部材１と同様であるが、直交姿勢維持部２を構成する土台部２０の態様は異なる。本実施形態における土台部２０は、第一土台片２１と、二つの第二土台片２２と、を有する。
【００５７】
第一土台片２１は、図７（Ａ），（Ｂ）に示すように、板状部１０の一方の平面１０Ｂ側において、板状部１０の外縁辺１０Ｄ（外縁面１０ＤＡ）の中央領域Ｒ１を起点として、その平面１０Ｂに直交する方向に突出する。なお、板状部１０の外縁辺１０Ｄ（外縁面１０ＤＡ）の中央領域Ｒ１とは、板側幅方向Ｘにおける外縁辺１０Ｄ（外縁面１０ＤＡ）の中央領域を指す。
【００５８】
２つの第二土台片２２は、図７（Ａ），（Ｂ）に示すように、板状部１０の他方の平面１０Ｃ側において、上記中央領域Ｒ１の板側幅方向Ｘの両脇に位置する隣接領域Ｒ２を起点として、その平面１０Ｃに対して直角な方向に突出する。なお、隣接領域Ｒ２とは、中央領域Ｒ１の外縁から板側幅方向Ｘにおける平面１０Ｃの一方側の外縁まで延びる領域を指す。つまり、第一土台片２１及び第二土台片２２は、板側幅方向Ｘに交互に並ぶと共に、相互に反対方向（離反する）に突出する。
【００５９】
本実施形態では、第一土台片２１は一つで、第二土台片２２は二つであるが、これに限定されるものではなく、第一土台片２１及び第二土台片２２が板側幅方向Ｘに交互に並ぶことができれば、第一土台片２１及び第二土台片２２の数はいくつでもよい。つまり、第一土台片２１がｎ個（ｎは１以上の整数）ある場合、第二土台片２２は、ｎ個、又は（ｎ＋１）個あればよい。したがって、第一土台片２１が１つの場合、第二土台片２２は、１つ又は２つとなり、第一土台片２１が２つの場合、第二土台片２２は２つ又は３つとなる。
【００６０】
また、本実施形態における土台部２０は、図８（Ａ）に示す状態から図８（Ｂ）に示す状態に、変形（姿勢変化）可能である。つまり、第一土台片２１は、板状部１０の外縁辺１０Ｄの中央領域Ｒ１をヒンジ軸として、旋回可能に構成される。また、第二土台片２２は、板状部１０の外縁辺１０Ｄの隣接領域Ｒ２をヒンジ軸として、旋回可能に構成される。つまり、板状部１０の外縁辺１０Ｄの中央領域Ｒ１及び隣接領域Ｒ２は、ヒンジ部として構成される。第一土台片２１及び第二土台片２２が、対応するヒンジ軸の周りを旋回可能であれば、ヒンジ部はどのような構造であってもよい。
【００６１】
以上のように植物保持部材１が構成されれば、植物保持部材１を用いないときは、図８（Ｂ）に示すように、第一土台片２１及び第二土台片２２を旋回させて、第一土台片２１及び第二土台片２２を板状部１０に対して平行にする。結果、板状部１０、第一土台片２１及び第二土台片２２は、１枚の板となり、使わない時は、大きなスペースを取ることなく重ねて収容することができる。
【００６２】
＜第三実施形態＞
図９を参照して、本考案の第三実施形態における植物保持部材１について説明する。本考案の第三実施形態における植物保持部材１は、本考案の第一実施形態における植物保持部材１と同様に、板状部１０と、直交姿勢維持部２と、を備える。本実施形態において板状部１０は、本考案の第一実施形態における植物保持部材１と同様であるが、直交姿勢維持部２を構成する土台部２０の態様は異なる。土台部２０は、本考案の第二実施形態における植物保持部材１と同様に、第一土台片２１と、二つの第二土台片２２と、を有する。
【００６３】
第一土台片２１は、図９（Ａ），（Ｂ）に示すように、板状部１０の一方の平面１０Ｂ側において、板状部１０の平面１０Ｂ内の中央領域Ｒ３を起点として、板側長さ方向Ｙのスリット４０から離れる方向に進むに従って板状部１０の板厚方向の平面１０Ｂから離れる方向（第一傾斜方向）に傾斜するように突出する。つまり、第一土台片２１は、板状部１０と交差する方向に板状部から突出していればよい。なお、中央領域Ｒ３とは、板側幅方向Ｘにおける平面１０Ｂ内の中央に位置する所定の帯状領域を指す。また、第一傾斜方向は、平面１０Ｂに対して、鋭角を成す。
【００６４】
二つの第二土台片２２は、図９（Ａ），（Ｂ）に示すように、板状部１０の他方の平面１０Ｃ側において、中央領域Ｒ３の板側幅方向Ｘの両脇の隣接領域Ｒ４を起点として、板側長さ方向Ｙのスリット４０から離れる方向に進むに従って板状部１０の板厚方向の平面１０Ｃから離れる方向（第二傾斜方向）に傾斜するように突出する。つまり、二つの第二土台片２２は、板状部１０と交差する方向に板状部から突出していればよい。なお、隣接領域Ｒ４とは、中央領域Ｒ３の外縁から板側幅方向Ｘにおける平面１０Ｃの一方側の外縁まで延びる帯状領域を指す。また、第二傾斜方向は、平面１０Ｃに対して、鋭角を成す。
【００６５】
中央領域Ｒ３及び隣接領域Ｒ４は、スリット４０よりも土台面３０に近位な板状部の底部側（外縁辺１０Ｄ（外縁面１０ＤＡ）側）のいずれかの位置に設けられればよい。
【００６６】
以上のように、本実施形態においても第一土台片２１及び第二土台片２２は、板側幅方向Ｘに交互に並ぶと共に、相互に反対方向（離反する）に突出する。また、本実施形態においても、第一土台片２１及び第二土台片２２の数、第一土台片２１及び第二土台片２２の旋回は、第二実施形態で説明したことを適用することができる。
【００６７】
＜第四実施形態＞
図１０を参照して、本考案の第四実施形態における植物保持部材１について説明する。本考案の第四実施形態における植物保持部材１は、他の実施形態と異なる部分は、土台部２０である。本実施形態における土台部２０も、他の実施形態と同様に、第一土台片２１及び第二土台片２２を有する。
【００６８】
第一土台片２１は、図１０に示すように、板状部１０の一方の平面１０Ｂ側において、板側幅方向Ｘに沿って一方の外縁から他方の外縁まで延びる板状部１０の平面１０Ｂ内の帯状領域Ｒ５全体を起点として、板側長さ方向Ｙのスリット４０から離れる方向に進むに従って板状部１０の板厚方向の平面１０Ｂから離れる方向（第一傾斜方向）に傾斜するように突出する。つまり、第一土台片２１は、板状部１０と交差する方向に板状部から突出していればよい。
【００６９】
第二土台片２２は、図１０に示すように、板状部１０の他方の平面１０Ｃ側において、板側幅方向Ｘに沿って一方の外縁から他方の外縁まで延びる板状部１０の平面１０Ｃ内の帯状領域Ｒ６全体を起点として、板側長さ方向Ｙのスリット４０から離れる方向に進むに従って板状部１０の板厚方向の平面１０Ｃから離れる方向（第二傾斜方向）に傾斜するように突出する。つまり、第二土台片２２は、板状部１０と交差する方向に板状部から突出していればよい。
【００７０】
帯状領域Ｒ５及び帯状領域Ｒ６は、スリット４０よりも土台面３０に近位な板状部の底部側（外縁辺１０Ｄ（外縁面１０ＤＡ）側）のいずれかの位置に設けられればよい。ただし、帯状領域Ｒ６は、帯状領域Ｒ５の真裏に位置することが好ましい。
【００７１】
＜第五実施形態＞
図１１を参照して、本考案の第五実施形態における植物保持部材１について説明する。本考案の第五実施形態における植物保持部材１は、他の実施形態と異なる部分は、直交姿勢維持部２である。本実施形態における直交姿勢維持部２は、土台面３０に対して板状部１０を直交姿勢にした状態で、板状部１０の板側幅方向Ｘの両側で、板状部１０を支持（拘束：以下同様）する両側支持部（両側拘束部：以下同様）２３により構成される。
【００７２】
両側支持部２３は、図１１（Ａ）に示すように、一対の支持片２４を有する。一対の支持片２４は、板状部１０を挿入可能な凹部２５を有する。凹部２５は、一対の支持片２４の支持底面２４０が土台面３０に接触するように、一対の支持片２４が土台面３０に載置された際に、土台面３０に対して直交方向に凹む。なお、支持底面２４０は、凹部２５が設けられる側とは反対側の面である。また、一対の支持片２４は、図１１（Ｂ）に示すように、それぞれの凹部２５が対向するように、並列に配置される。一対の支持片２４の凹部２５に板状部１０を挿入すると、板状部１０の板側幅方向Ｘの両側が凹部２５に支持されて、板状部１０は直交姿勢を取る。
【００７３】
なお、以下において、上記直交方向に平行な方向に凹部２５の深さ方向Ｄを取り、上記直交方向に直交する方向のうち、一対の支持片２４が配列される方向に凹部２５の奥行き方向Ｅを取り、凹部２５の深さ方向Ｄ及び奥行き方向Ｅの双方に平行な方向に凹部２５の幅方向Ｆを取るものとする。また、板状部１０が凹部２５に挿入された際、凹部２５の深さ方向Ｄは、スリット延在方向Ａ及び板側長さ方向Ｙに平行となり、凹部２５の奥行き方向Ｅは、板側幅方向Ｘに平行となり、凹部２５の幅方向Ｆは、板状部１０の板厚方向に平行となるものとする。
【００７４】
以上のような凹部２５は、図１１（Ａ），（Ｂ）に示すように、凹部２５に板状部１０が挿入された際に、板状部１０の外縁辺１０Ｄ（外縁面１０ＤＡ）側から板状部１０を支持する下方側板支持面２５０と、板状部１０の平面１０Ｂと対向する第一対向面２５１と、板状部１０の平面１０Ｃと対向する第二対向面２５２と、を有する。本実施形態において下方側板支持面２５０は、凹部２５の深さ方向Ｄにおける凹部２５の最深面に相当し、凹部２５の深さ方向Ｄにおける第一対向面２５１及び第二対向面２５２の最深端で第一対向面２５１及び第二対向面２５２の双方に繋がる。
【００７５】
下方側板支持面２５０は、板状部１０の外縁面１０ＤＡに接触して板状部１０を支持する。板状部１０を凹部２５に挿入して、板状部１０が第一対向面２５１と第二対向面２５２で挟み込まれる状態になった際、板状部１０が傾斜姿勢にならないように、第一対向面２５１と第二対向面２５２の間の距離（凹部２５の幅）は、板状部１０の厚みと略同じか、又は、わずかに大きい程度であることが好ましい。
【００７６】
また、本実施形態における直交姿勢維持部２には、凹部２５の奥行き方向Ｅにおける凹部２５の最奥面に相当する移動規制面２５３が設けられる。移動規制面２５３は、凹部２５の奥行き方向Ｅにおける第一対向面２５１及び第二対向面２５２の最奥端で、第一対向面２５１及び第二対向面２５２の双方に繋がる。移動規制面２５３は、凹部２５に挿入された板状部１０の奥行き方向Ｅにおける移動を規制する。
【００７７】
以上のような凹部２５は、図１１（Ａ），（Ｂ）に示すように、凹部２５の幅方向Ｆに平行に延在する、一対の支持片２４の延在方向に沿って列状に複数設けられてもよい。このように凹部２５を設ければ、図１１（Ｂ）に示すように、隣接する一方の板状部１０の平面１０Ｂと他方の板状部１０の平面１０Ｃとが対向するように、複数の板状部１０を配置することができる。
【００７８】
なお、以上では、一対の支持片２４の凹部２５に板状部１０を差し込んで板状部１０を一対の支持片２４で支持（拘束）したが、逆に、板状部１０に一対の支持片２４の一部を差し込むことにより、板状部１０が一対の支持片２４で支持（拘束）されてもよい。この場合、例えば、板状部１０には、板状部１０の両側側面１０Ｅ（図１１（Ａ）参照。）を起点として板側幅方向Ｘの内側に延びる（図示しない）切れ込み（凹部）が設けられ、支持片２４には、一対の支持片２４が対向する方向に延びる、その切れ込みに差し込むための差し込み片が設けられる。
【００７９】
＜第六実施形態＞
図１２を参照して、本考案の第六実施形態における植物保持部材１について説明する。本考案の第六実施形態における植物保持部材１は、他の実施形態と異なる部分は、直交姿勢維持部２である。本実施形態における直交姿勢維持部２は、土台面３０に対して板状部１０を直交姿勢にした状態で、板状部１０の板側長さ方向Ｙの底部側で、板状部１０を支持（拘束：以下同様）する底部側支持部２６（底部側拘束部：以下同様）により構成される。
【００８０】
底部側支持部２６は、図１２（Ａ）に示すように、板状部１０を挿入可能な凹部２７を有する。凹部２７は、底部側支持部２６の支持底面２６０が土台面３０に接触するように底部側支持部２６が土台面３０に載置された際に、土台面３０に対して直交方向に凹む。なお、支持底面２６０は、凹部２７が設けられる側とは反対側の面である。底部側支持部２６の凹部２７に板状部１０を挿入すると、板状部１０の板側長さ方向Ｙの底部側が凹部２７に支持（拘束）されて、板状部１０は直交姿勢を取る。
【００８１】
なお、以下において、上記直交方向に平行な方向に凹部２７の深さ方向Ｄを取り、上記直交方向に直交する方向のうち、凹部２７に板状部１０が挿入された際、板側幅方向Ｘに相当する方向に凹部２７の奥行き方向Ｅを取り、凹部２７の深さ方向Ｄ及び奥行き方向Ｅの双方に平行な方向に凹部２７の幅方向Ｆを取るものとする。また、板状部１０が凹部２５に挿入された際、凹部２７の深さ方向Ｄは、スリット延在方向Ａ及び板側長さ方向Ｙに平行となり、凹部２７の奥行き方向Ｅは、板側幅方向Ｘに平行となり、凹部２７の幅方向Ｆは、板状部１０の板厚方向に平行となるものとする。
【００８２】
以上のような凹部２７は、図１２（Ａ），（Ｂ）に示すように、凹部２７に板状部１０が挿入された際に、板状部１０の外縁辺１０Ｄ（外縁面１０ＤＡ）側から板状部１０を支持する下方側板支持面２７０と、板状部１０の平面１０Ｂと対向する第一対向面２７１と、板状部１０の平面１０Ｃと対向する第二対向面２７２と、を有する。本実施形態において下方側板支持面２７０は、凹部２７の深さ方向Ｄにおける凹部２７の最深面に相当し、第一対向面２７１及び第二対向面２７２の最深端で、第一対向面２７１及び第二対向面２７２の双方に繋がる。
【００８３】
下方側板支持面２７０は、板状部１０の外縁面１０ＤＡに接触して板状部１０を支持する。板状部１０を凹部２７に挿入して、板状部１０が第一対向面２７１と第二対向面２７２で挟み込まれる状態になった際、板状部１０が傾斜姿勢にならないように、第一対向面２５１と第二対向面２５２の間の距離（凹部２７の幅）は、板状部１０の厚みと略同じか、又は、わずかに大きい程度であることが好ましい。同様に、凹部２７の深さは、板状部１０が傾斜姿勢にならないような深さであることが好ましい。
【００８４】
また、本実施形態における直交姿勢維持部２には、図１２（Ａ），（Ｂ）に示すように、凹部２７の奥行き方向Ｅにおける凹部２７の両最奥面に相当する位置に移動規制面２７３が設けられてもよい。移動規制面２７３は、凹部２７の奥行き方向Ｅにおける第一対向面２７１及び第二対向面２７２の最奥端で、第一対向面２７１及び第二対向面２７２の双方に繋がる。移動規制面２７３は、凹部２７に挿入された板状部１０の奥行き方向Ｅにおける移動を規制する。
【００８５】
以上のような凹部２７は、図１２（Ａ），（Ｂ）に示すように、凹部２７の幅方向Ｆに平行に延在する、底部側支持部２６の延在方向に沿って列状に複数設けられてもよい。このように凹部２７を設ければ、図１２（Ｂ）に示すように、隣接する一方の板状部１０の平面１０Ｂと他方の板状部１０の平面１０Ｃとが対向するように、複数の板状部１０を配置することができる。
【００８６】
なお、以上では、底部側支持部２６の凹部２７に板状部１０を差し込んで板状部１０を底部側支持部２６で支持（拘束）したが、逆に、板状部１０に底部側支持部２６の一部を差し込むことにより、板状部１０が底部側支持部２６で支持（拘束）されてもよい。この場合、例えば、板状部１０には、板状部１０の底面側側面１０Ｆ（図１２（Ａ）参照。）を起点として板側長さ方向Ｙの内側に延びる（図示しない）切れ込み（凹部）が設けられ、底部側支持部２６には、底部側支持部２６の支持底面２６０に直交する方向に延びる、その切れ込みに差し込むための差し込み片が設けられる。
【００８７】
なお、本考案の植物保持部材は、上記した実施の形態に限定されるものではなく、本考案の要旨を逸脱しない範囲内において種々変更を加え得ることは勿論である。例えば、第一〜四実施形態における土台部２０は、第一土台片２１及び第二土台片２２より構成されるが、第一土台片２１及び第二土台片２２のいずれか一方のみにより構成されるものも本発明の範囲に含まれる。
【符号の説明】
【００８８】
１  植物保持部材
２  直交姿勢維持部
１０  板状部
１０Ａ  板状部の外縁
１０Ｂ，１０Ｃ  板状部の平面
１０Ｄ  外縁辺
１０ＤＡ  外縁面
１１  植物接触面
１３，１３Ａ，１３Ｂ，１３Ｆ，１３Ｈ，１３Ｊ  帯状部
２０  土台部
２０Ａ  中央分割領域
２０Ｂ  土台部の支持面
２１  第一土台片
２２  第二土台片
２３  両側支持部
２４  支持片
２５  支持片の凹部
２６  底部側支持部
２７  底部側支持部の凹部
３０  土台面
４０，４０Ａ，４０Ｂ  スリット
４１，４１Ａ  第一スリット構成面
４２，４２Ａ  第二スリット構成面
４３，４３Ａ  開口
４５，４６  食込み領域
４７，４８  第一茎側非当接領域
５０  箱
５１  内側底面
１００，１００Ａ，１００Ｂ  イチゴ
１０１  茎
１０１Ａ  茎の周面
１０１Ｂ  茎の仮想周面
２４０  支持片の支持底面
２５０  下方側板支持面
２５１，２７１  第一対向面
２５２，２７２  第二対向面
２５３，２７３  移動規制面
２６０  底部側支持部の支持底面
２７０  下方側板支持面
２７１  第一対向面
２７２  第二対向面
４１０  第一凸面
４１１  第一傾斜面
４１２  第二傾斜面
４１３，４２３  峰部
４２０  第二凸面
４２１  第三傾斜面
４２２  第四傾斜面
Ａ  スリット延在方向
Ｂ  スリット幅方向
Ｃ  スリットの深さ方向
Ｄ  凹部の深さ方向
Ｅ  凹部の奥行き方向
Ｆ  凹部の幅方向
Ｒ１，Ｒ３  中央領域
Ｒ２，Ｒ４  隣接領域
Ｒ５，Ｒ６  帯状領域
Ｘ  板側幅方向
Ｙ  板側長さ方向
ｊ  スリット幅
【図１】
0003226272.tif 000003
【図２】
0003226272.tif 000004
【図３】
0003226272.tif 000005
【図４】
0003226272.tif 000006
【図５】
0003226272.tif 000007
【図６】
0003226272.tif 000008
【図７】
0003226272.tif 000009
【図８】
0003226272.tif 000010
【図９】
0003226272.tif 000011
【図１０】
0003226272.tif 000012
【図１１】
0003226272.tif 000013
【図１２】
0003226272.tif 000014